【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
静電潜像が形成される回転可能な像担持体と、
前記像担持体に形成された静電潜像を現像する現像領域にトナーとキャリアを含む現像剤を担持搬送する現像回転体と、
前記現像回転体に非接触に対向して配置され、前記現像回転体に担持された現像剤の量を規制する樹脂製の規制ブレードと、
前記規制ブレードを取り付けるための取付部を有し、前記規制ブレードとは別体である樹脂製の現像枠体と、
シート部材と、
を備え、
前記現像回転体が前記規制ブレードに最も近接する前記現像回転体上の位置は、前記現像領域よりも下方であり、
前記現像領域よりも下方、且つ、前記像担持体の回転方向に関して前記現像領域よりも回転方向上流において前記シート部材が前記像担持体に接触するように、前記シート部材は、前記取付部に取り付けられた前記規制ブレードに貼り付けられている
ことを特徴とする画像形成装置。
【請求項２】
第２のシート部材を更に備え、
前記現像回転体の回転方向に関して前記現像回転体が前記規制ブレードに最も近接する前記現像回転体上の位置よりも回転方向下流、且つ、前記現像回転体が前記像担持体に最も近接する前記現像回転体上の位置よりも回転方向上流において前記第２のシート部材が前記現像回転体に非接触に対向するように、前記第２のシート部材は、前記取付部に取り付けられた前記規制ブレードに貼り付けられている
ことを特徴とする請求項１に記載の画像形成装置。
【請求項３】
前記規制ブレードの前記シート部材が貼り付けられる部分と、前記規制ブレードの前記第２のシート部材が貼り付けられる部分は、一体成形されている
ことを特徴とする請求項２に記載の画像形成装置。
【請求項４】
第２のシート部材を更に備え、
前記現像回転体の回転方向に関して前記現像回転体が前記規制ブレードに最も近接する前記現像回転体上の位置よりも回転方向下流、且つ、前記現像回転体が前記像担持体に最も近接する前記現像回転体上の位置よりも回転方向上流において前記第２のシート部材が前記現像領域に侵入するように、前記第２のシート部材は、前記取付部に取り付けられた前記規制ブレードに貼り付けられている
ことを特徴とする請求項１に記載の画像形成装置。
【請求項５】
前記規制ブレードの前記シート部材が貼り付けられる部分と、前記規制ブレードの前記第２のシート部材が貼り付けられる部分は、一体成形されている  
ことを特徴とする請求項４に記載の画像形成装置。
【請求項６】
前記規制ブレードは、接着剤を用いて、前記取付部に取り付けられている
ことを特徴とする請求項１乃至５のいずれか１項に記載の画像形成装置。
【請求項７】
前記規制ブレードは、撓ませることが可能な剛性を有する
ことを特徴とする請求項１乃至６のいずれか１項に記載の画像形成装置。
【請求項８】
前記シート部材は、ウレタンシートである
ことを特徴とする請求項１乃至７のいずれか１項に記載の画像形成装置。
【請求項９】
静電潜像が形成される回転可能な像担持体と、
前記像担持体に形成された静電潜像を現像する現像領域にトナーとキャリアを含む現像剤を担持搬送する現像回転体と、
前記現像回転体に非接触に対向して配置され、前記現像回転体に担持された現像剤の量を規制する樹脂製の規制ブレードと、
前記規制ブレードを取り付けるための取付部を有し、前記規制ブレードとは別体である樹脂製の現像枠体と、
シート部材と、
を備え、
前記現像回転体が前記規制ブレードに最も近接する前記現像回転体上の位置は、前記現像領域よりも下方であり、
前記現像回転体の回転方向に関して前記現像回転体が前記規制ブレードに最も近接する前記現像回転体上の位置よりも回転方向下流、且つ、前記現像回転体が前記像担持体に最も近接する前記現像回転体上の位置よりも回転方向上流において前記シート部材が前記現像回転体に非接触に対向するように、前記シート部材は、前記取付部に取り付けられた前記規制ブレードに貼り付けられている
ことを特徴とする画像形成装置。
【請求項１０】
前記規制ブレードは、接着剤を用いて、前記取付部に取り付けられている
ことを特徴とする請求項９に記載の画像形成装置。
【請求項１１】
前記規制ブレードは、撓ませることが可能な剛性を有する
ことを特徴とする請求項９又は１０に記載の画像形成装置。
【請求項１２】
前記シート部材は、ウレタンシートである
ことを特徴とする請求項９乃至１１のいずれか１項に記載の画像形成装置。
【請求項１３】
静電潜像が形成される回転可能な像担持体と、
前記像担持体に形成された静電潜像を現像する現像領域にトナーとキャリアを含む現像剤を担持搬送する現像回転体と、
前記現像回転体に非接触に対向して配置され、前記現像回転体に担持された現像剤の量を規制する樹脂製の規制ブレードと、
前記規制ブレードを取り付けるための取付部を有し、前記規制ブレードとは別体である樹脂製の現像枠体と、
シート部材と、
を備え、
前記現像回転体が前記規制ブレードに最も近接する前記現像回転体上の位置は、前記現像領域よりも下方であり、
前記現像回転体の回転方向に関して前記現像回転体が前記規制ブレードに最も近接する前記現像回転体上の位置よりも回転方向下流、且つ、前記現像回転体が前記像担持体に最も近接する前記現像回転体上の位置よりも回転方向上流において前記シート部材が前記現像領域に侵入するように、前記シート部材は、前記取付部に取り付けられた前記規制ブレードに貼り付けられている
ことを特徴とする画像形成装置。
【請求項１４】
前記規制ブレードは、接着剤を用いて、前記取付部に取り付けられている
ことを特徴とする請求項１３に記載の画像形成装置。
【請求項１５】
前記規制ブレードは、撓ませることが可能な剛性を有する
ことを特徴とする請求項１３又は１４に記載の画像形成装置。
【請求項１６】
前記シート部材は、ウレタンシートである
ことを特徴とする請求項１３乃至１５のいずれか１項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、樹脂製の規制ブレードを備える画像形成装置に関する。
【手続補正４】
【補正対象書類名】明細書
【補正対象項目名】００１２
【補正方法】変更
【補正の内容】
【００１２】
上記目的を達成するために本発明の一態様に係る画像形成装置は以下のような構成を備える。即ち、静電潜像が形成される回転可能な像担持体と、前記像担持体に形成された静電潜像を現像する現像領域にトナーとキャリアを含む現像剤を担持搬送する現像回転体と、前記現像回転体に非接触に対向して配置され、前記現像回転体に担持された現像剤の量を規制する樹脂製の規制ブレードと、前記規制ブレードを取り付けるための取付部を有し、前記規制ブレードとは別体である樹脂製の現像枠体と、シート部材と、を備え、前記現像回転体が前記規制ブレードに最も近接する前記現像回転体上の位置は、前記現像領域よりも下方であり、前記現像領域よりも下方、且つ、前記像担持体の回転方向に関して前記現像領域よりも回転方向上流において前記シート部材が前記像担持体に接触するように、前記シート部材は、前記取付部に取り付けられた前記規制ブレードに貼り付けられていることを特徴とする。
また、上記目的を達成するために本発明の他の一態様に係る画像形成装置は以下のような構成を備える。即ち、静電潜像が形成される回転可能な像担持体と、前記像担持体に形成された静電潜像を現像する現像領域にトナーとキャリアを含む現像剤を担持搬送する現像回転体と、前記現像回転体に非接触に対向して配置され、前記現像回転体に担持された現像剤の量を規制する樹脂製の規制ブレードと、前記規制ブレードを取り付けるための取付部を有し、前記規制ブレードとは別体である樹脂製の現像枠体と、シート部材と、を備え、前記現像回転体が前記規制ブレードに最も近接する前記現像回転体上の位置は、前記現像領域よりも下方であり、前記現像回転体の回転方向に関して前記現像回転体が前記規制ブレードに最も近接する前記現像回転体上の位置よりも回転方向下流、且つ、前記現像回転体が前記像担持体に最も近接する前記現像回転体上の位置よりも回転方向上流において前記シート部材が前記現像回転体に非接触に対向するように、前記シート部材は、前記取付部に取り付けられた前記規制ブレードに貼り付けられていることを特徴とする。
また、上記目的を達成するために本発明の他の一態様に係る画像形成装置は以下のような構成を備える。即ち、静電潜像が形成される回転可能な像担持体と、前記像担持体に形成された静電潜像を現像する現像領域にトナーとキャリアを含む現像剤を担持搬送する現像回転体と、前記現像回転体に非接触に対向して配置され、前記現像回転体に担持された現像剤の量を規制する樹脂製の規制ブレードと、前記規制ブレードを取り付けるための取付部を有し、前記規制ブレードとは別体である樹脂製の現像枠体と、シート部材と、を備え、前記現像回転体が前記規制ブレードに最も近接する前記現像回転体上の位置は、前記現像領域よりも下方であり、前記現像回転体の回転方向に関して前記現像回転体が前記規制ブレードに最も近接する前記現像回転体上の位置よりも回転方向下流、且つ、前記現像回転体が前記像担持体に最も近接する前記現像回転体上の位置よりも回転方向上流において前記シート部材が前記現像領域に侵入するように、前記シート部材は、前記取付部に取り付けられた前記規制ブレードに貼り付けられていることを特徴とする。